(57)【要約】【課題】印刷ジョブの実行を待機または中断させる所定の調整動作が実施されている場合に、印刷ジョブの状態に関するユーザの確認のストレスを軽減させることのできる画像形成装置を提供する。【解決手段】画像形成装置は、表示情報を表示する表示手段と、印刷ジョブを実行する印刷ジョブ実行手段と、印刷ジョブ実行手段による印刷ジョブの実行を待機または中断させる所定の調整動作を実行する調整動作実行手段と、調整動作実行手段による調整動作が実行されるときに、印刷ジョブの状態を確認する印刷ジョブ確認手段と、印刷ジョブ確認手段による確認の結果である印刷ジョブの状態に応じて、調整動作実行手段による調整動作の実行中に当該印刷ジョブの状態にかかわる異なる表示情報を表示手段に表示させる表示制御手段とを備える。【選択図】図１
2009214435.tif 000002
【特許請求の範囲】
【請求項１】
表示情報を表示する表示手段と、
印刷ジョブを実行する印刷ジョブ実行手段と、
前記印刷ジョブ実行手段による前記印刷ジョブの実行を待機または中断させる所定の調整動作を実行する調整動作実行手段と、
前記調整動作実行手段による調整動作が実行されるときに、前記印刷ジョブの状態を確認する印刷ジョブ確認手段と、
前記印刷ジョブ確認手段による確認の結果である前記印刷ジョブの状態に応じて、前記調整動作実行手段による調整動作の実行中に当該印刷ジョブの状態にかかわる異なる表示情報を前記表示手段に表示させる表示制御手段と、
を有することを特徴とする画像形成装置。
【請求項２】
前記表示制御手段は、
前記印刷ジョブ確認手段による確認の結果が、前記印刷ジョブに対する処理は未完了である旨のときは、前記調整動作実行手段による調整動作の実行が終了した後に前記印刷ジョブに対する処理を継続する旨の表示情報を前記表示手段に表示させる、
ことを特徴とする請求項１記載の画像形成装置。
【請求項３】
前記印刷ジョブに付加されている付加情報を取得する付加情報取得手段、を更に備え、
前記表示制御手段は、
前記付加情報取得手段によって取得された付加情報を含み、前記調整動作実行手段による調整動作の実行が終了した後に前記印刷ジョブに対する処理を継続する旨の表示情報を前記表示手段に表示させる、
ことを特徴とする請求項２記載の画像形成装置。
【請求項４】
印刷対象の印刷ジョブの実行を待機または中断させる所定の調整動作が実行されるときに、前記印刷ジョブの状態を確認する印刷ジョブ確認処理過程と、
前記印刷ジョブ確認処理過程により確認された結果である前記印刷ジョブの状態に応じて、前記所定の調整動作の実行中に前記印刷ジョブの状態にかかわる異なる表示情報を表示手段に表示させる表示制御処理過程と、
をコンピュータに実行させることを特徴とする印刷ジョブ状態表示処理プログラム。
【発明の詳細な説明】
【技術分野】
【０００１】
本発明は、画像形成装置、および印刷ジョブ状態表示処理プログラムに関する。
【背景技術】
【０００２】
従来、カラーレーザプリンタなど画像形成装置では、印刷ジョブ実行中においても、調整時間を発生させるような調整動作が積極的に行われる場合がある。
【０００３】
例えば、上記従来の画像形成装置においては、良好な画像濃度やグラデーション等を確保するために、印刷途中であっても強制的に印刷ジョブを中断して、パッチパターン等を作成し分析して得られる情報に基づいて、電子写真プロセスの露光プロセスや現像プロセスなど各種プロセスにおける設定を補正するいわゆるプロセスコントロールが行われることがある。また、良好な印刷物を提供するために、定着ユニットのクールダウンや転写ユニットのクリーニングが行われることもある。
【０００４】
このような調整動作を実施する画像形成装置には、調整動作に要する時間を表示部に表示するものもある。
【０００５】
なお、調整動作に要する時間を表示部に表示する画像形成装置（印刷装置）としては、特許文献１および特許文献２に記載されたものが知られている。
【特許文献１】特開２００６−１１０８３３号公報
【特許文献２】特開２００６−１１６７４５号公報
【発明の開示】
【発明が解決しようとする課題】
【０００６】
本発明は、印刷ジョブの実行を待機または中断させる所定の調整動作が実施されている場合に、印刷ジョブの状態に関するユーザの確認のストレスを軽減させることのできる画像形成装置、および印刷ジョブ状態表示処理プログラムを提供することを目的とする。
【課題を解決するための手段】
【０００７】
上記課題を解決するため、請求項１に記載の本発明の画像形成装置は、表示情報を表示する表示手段と、印刷ジョブを実行する印刷ジョブ実行手段と、前記印刷ジョブ実行手段による前記印刷ジョブの実行を待機または中断させる所定の調整動作を実行する調整動作実行手段と、前記調整動作実行手段による調整動作が実行されるときに、前記印刷ジョブの状態を確認する印刷ジョブ確認手段と、前記印刷ジョブ確認手段による確認の結果である前記印刷ジョブの状態に応じて、前記調整動作実行手段による調整動作の実行中に当該印刷ジョブの状態にかかわる異なる表示情報を前記表示手段に表示させる表示制御手段と、を有することを特徴とする。
【０００８】
請求項２に記載の発明は、上記請求項１に記載の発明において、前記表示制御手段は、前記印刷ジョブ確認手段による確認の結果が、前記印刷ジョブに対する処理は未完了である旨のときは、前記調整動作実行手段による調整動作の実行が終了した後に前記印刷ジョブに対する処理を継続する旨の表示情報を前記表示手段に表示させる、ことを特徴とする。
【０００９】
請求項３に記載の発明は、上記請求項２に記載の発明において、前記印刷ジョブに付加されている付加情報を取得する付加情報取得手段、を更に備え、前記表示制御手段は、前記付加情報取得手段によって取得された付加情報を含み、前記調整動作実行手段による調整動作の実行が終了した後に前記印刷ジョブに対する処理を継続する旨の表示情報を前記表示手段に表示させる、ことを特徴とする。
【００１０】
上記課題を解決するため、請求項４に記載の本発明の印刷ジョブ状態表示処理プログラムは、印刷対象の印刷ジョブの実行を待機または中断させる所定の調整動作が実行されるときに、前記印刷ジョブの状態を確認する印刷ジョブ確認処理過程と、前記印刷ジョブ確認処理過程により確認された結果である前記印刷ジョブの状態に応じて、前記所定の調整動作の実行中に前記印刷ジョブの状態にかかわる異なる表示情報を表示手段に表示させる表示制御処理過程と、をコンピュータに実行させることを特徴とする。
【発明の効果】
【００１１】
請求項１記載の発明によれば、印刷ジョブの実行を待機または中断させる所定の調整動作が実施されている場合に、印刷ジョブの状態に関するユーザの確認のストレスを軽減させることができる。
【００１２】
請求項２記載の発明によれば、印刷ジョブの実行を待機または中断させる所定の調整動作が実施されている場合に、ユーザは、当該印刷ジョブに対する処理が、調整動作の実行が終了した後に継続されるということを知ることができる。
【００１３】
請求項３記載の発明によれば、印刷ジョブの実行を待機または中断させる所定の調整動作が実施されている場合に、ユーザは、付加情報を基に特定される印刷ジョブに対する処理が、調整動作の実行が終了した後に継続されるということを知ることができる。
【００１４】
請求項４記載の発明によれば、印刷ジョブの実行を待機または中断させる所定の調整動作が実施されている場合に、印刷ジョブの状態に関するユーザの確認のストレスを軽減させるソフトウェアを提供することができる。
【発明を実施するための最良の形態】
【００１５】
以下、本発明の実施の形態を図面に基づいて詳細に説明する。なお、実施の形態を説明するための図面において同一の構成要素には原則として同一の符号を付し、その繰り返しの説明は省略する。
【００１６】
（実施の形態１）
【００１７】
図１は、実施の形態１に係る画像形成装置の機能構成を示している。
【００１８】
この実施の形態１では、画像形成装置は、イエロー（Ｙ）、マゼンタ（Ｍ）、シアン（Ｃ）、ブラック（Ｋ）の色毎に電子写真プロセスを実行する画像形成ユニットを備えたタンデム型のカラー電子写真方式の画像形成装置を想定している。
【００１９】
図１に示すように、画像形成装置１は、制御部１０、通信部２０、受信バッファ３０、表示部４０、および描画部５０を有している。
【００２０】
通信部２０は、コンピュータ２との通信を行うものであり、例えばコンピュータ２から送信された印刷ジョブを受信し、これを受信バッファ３０に保存する。
【００２１】
印刷ジョブには、印刷データ例えばページ記述言語で記述されたデータ（以下「ＰＤＬデータ」という。）と付加情報とが含まれている。なお、付加情報としては、ファイル名、ユーザ名、印刷時間、ＩＰ（インターネットプロトコル）アドレスなどの情報がある。
【００２２】
表示部４０は、上記表示手段の機能を有し、制御部１０の制御の下、表示情報を表示する。
【００２３】
制御部１０は、印刷ジョブ実行部１１０、調整動作検知部１２０、印刷ジョブ確認部１３０、および表示制御部１４０を有している。
【００２４】
印刷ジョブ実行部１１０は、上記印刷ジョブ実行手段の機能を有し、受信バッファ３０から印刷ジョブを読み出して実行するとともに、該印刷ジョブの実行結果を描画部５０へ出力する。
【００２５】
すなわち、印刷ジョブ実行部１１０は、受信バッファ３０から読み出した印刷ジョブつまりページ単位にＰＤＬデータを解釈するＰＤＬデータ解釈機能部（図示せず）と、このＰＤＬデータ解釈機能部による解釈の結果に基づきＰＤＬデータをビットマップデータに展開するレンダリング機能部（図示せず）と、このレンダリング機能部によって展開されたビッドマップデータ（画像データ）に対し色変換処理、階調補正処理、網点生成処理など画像処理を実施する画像処理機能部（図示せず）とを有し、この画像処理機能部による画像処理の結果としてのページ単位のビットマップデータ（画像データ）を描画部５０に向けて出力する。
【００２６】
調整動作検知部１２０は、印刷ジョブの実行を待機または中断させる描画部５０での各種の調整動作を検知することができるようになっている。これらの各種調整動作の検出は、調整動作検知部１２０が描画部５０の各部の温度や雰囲気温度、印刷枚数、トナー残量、トナー濃度等の各種の検出手段からの出力信号に基づいて行うものである。
【００２７】
ここで、調整動作としては、例えば、描画部５０でのカラーレジストレーション（各色のトナー像、画像位置に相対的なずれ）の調整動作が挙げられる。
【００２８】
印刷ジョブ確認部１３０は、上記印刷ジョブ確認手段の機能を有し、後述する描画部（調整動作実行手段）５０による調整動作が実行されるときに、印刷ジョブの状態を確認する。
【００２９】
実施の形態１では、印刷ジョブ確認部１３０は、印刷対象の印刷ジョブが受信バッファ３０に保存されているか否か（残っているか否か）に応じて当該印刷対象の印刷ジョブの状態を確認するようになっている。印刷対象の印刷ジョブが受信バッファ３０に保存されている場合には印刷ジョブの状態は「印刷ジョブに対する処理は未完了」であると確認し、一方、印刷対象の印刷ジョブが受信バッファ３０に保存されていない場合は印刷ジョブの状態は「印刷ジョブに対する処理は完了」であると確認する。
【００３０】
また、実施の形態１において、「印刷ジョブに対する処理は完了」とは、「制御部１０（の印刷ジョブ実行部１１０）によって、印刷対象の印刷ジョブにかかわる最後のページに対応するビットマップデータ（画像データ）が描画部５０に出力されたとき」、であると定義する。
【００３１】
表示制御部１４０は、上記表示制御手段の機能を有し、印刷ジョブ確認部（印刷ジョブ確認手段）１３０による確認の結果である印刷ジョブの状態に応じて、後述する描画部（調整動作実行手段）５０による調整動作の実行中に当該印刷ジョブの状態にかかわる異なる表示情報を表示部（表示手段）４０に表示させる。
【００３２】
また、表示制御部１４０は、印刷ジョブ確認部（印刷ジョブ確認手段）１３０による確認の結果が、印刷ジョブに対する処理は未完了である旨のときは、後述する描画部（調整動作実行手段）５０による調整動作の実行が終了した後に印刷ジョブに対する処理を継続する旨の表示情報を表示部（表示手段）４０に表示させる。
【００３３】
描画部５０は、画像形成制御部５１、および画像形成部５２を備えている。
【００３４】
画像形成制御部５１は、制御部１０からのページ単位の画像データ（ビットマップデータ）に基づき、画像形成部５２に対し画像形成を実施させる制御を行う。
【００３５】
画像形成部５２は、イエロー（Ｙ）、マゼンタ（Ｍ）、シアン（Ｃ）、ブラック（Ｋ）の色毎にトナー像を形成し、各色のトナー像を順次、図示しない中間転写体（中間転写ベルト）に転写させる。画像形成部５２では、中間転写ベルト（図示せず）と画像転写位置に配置されている二次転写ロール（図示せず）とのニップ位置に用紙が通過することにより、中間転写ベルト上のトナー像が通過する用紙に転写され、さらにトナー像が転写された用紙は、図示しない定着装置によって定着される。
【００３６】
また、描画部５０は、上記調整動作実行手段の機能を有し、印刷ジョブ実行部（印刷ジョブ実行手段）による印刷ジョブの実行を待機または中断させる所定の調整動作、例えばカラーレジストレーションの調整動作を実行する。
【００３７】
次に、調整動作が実行される場合の制御部による印刷ジョブの状態に応じた異なる表示情報の表示処理について、図２を参照して説明する。
【００３８】
なお、図２は、その表示処理の処理手順を示すフローチャートである。
【００３９】
制御部１０は、受信バッファ３０に保存されている印刷ジョブの中のＰＤＬデータをページ単位に読み出し、この読み出したページ単位のＰＤＬデータを解釈し、この解釈した結果に基づきレンダリング処理を実施するとともに、このレンダリング処理が施されたビットマップデータに対し色変換処理、階調補正処理、網点生成処理など画像処理を実施する。このようにして印刷対象の印刷ジョブは、ページ単位のＰＤＬデータのすべてについて制御部１０によって実行されることになる。
【００４０】
ところで、制御部１０は、上述したようにして印刷ジョブを実行するときに、描画部５０を監視して所定の調整動作が開始されることを検知したときは、図２に示すように、描画部５０に対し、開始可能である旨を通知するまでは当該所定の調整動作の実施を待機するように依頼し、その後、印刷対象の印刷ジョブの処理は完了しているか否かを判断、つまり受信バッファ４０に印刷対象の印刷ジョブが残っているか否か（存在するか否か）を判断する（ステップＳ１０１）。
【００４１】
ここでは、描画部５０は、例えばカラーレジストレーションの調整動作を実施するものとする。
【００４２】
制御部１０は、ステップＳ１０１において、受信バッファ３０に印刷対象の印刷ジョブが残っていると判断した場合（印刷対象の印刷ジョブの処理は未完了であると判断した場合）は、「描画部５０による調整動作の実行が終了した後に印刷ジョブに対する処理を継続する旨」の表示情報を表示部４０に表示させる（ステップＳ１０２）。ここで、ステップＳ１０２での表示例を図３（ａ）に示す。つまり、表示部４０には「調整動作後、印刷を継続する旨」が表示される。
【００４３】
一方、制御部１０は、ステップＳ１０１において、受信バッファ３０に印刷対象の印刷ジョブが残っていないと判断した場合（印刷対象の印刷ジョブの処理は完了であると判断した場合）は、「描画部５０による調整動作の実行中、印刷ジョブは残っていない旨」の表示情報を表示部４０に表示させる（ステップＳ１０３）。ここで、ステップＳ１０３の表示例を図３（ｂ）に示す。つまり、表示部４０には「調整動作中、印刷ジョブはない旨」が表示される。
【００４４】
そして、ステップＳ１０２またはステップＳ１０３を終了した制御部１０が描画部５０に対し調整動作は開始可能である旨を通知すると、描画部５０は、その通知を受けて上述した所定の調整動作（この例ではカラーレジストレーションの調整動作）を実行する（ステップＳ１０４）。
【００４５】
次に、調整動作が実行されるタイミングに応じて表示部４０に表示される印刷ジョブの状態に応じた異なる表示情報の表示例について説明する。
【００４６】
ここでは、印刷対象の印刷ジョブは３ページの印刷データであるとする。
【００４７】
最初に、図４（ａ）に示すように、２ページ目の印刷データについて印刷が完了した状態で、描画部５０での調整動作が実施されるときは、３ページ目の印刷データ（ＰＤＬデータ）が受信バッファ３０に残っているので、表示部４０には、図３（ａ）に示したような表示情報（「描画部５０による調整動作の実行が終了した後に印刷ジョブに対する処理を継続する旨」）が表示される。
【００４８】
そのため、ユーザは、図４（ａ）に示す表示例の表示内容を確認することで、最終の印刷ページの印刷物（この例では３ページの印刷物）を確認しなくても、印刷が継続されること（印刷が完了していないこと）を知ることができる。
【００４９】
また、図４（ｂ）に示すように、３ページ目の印刷データについて印刷が完了した状態（印刷対象の印刷ジョブの印刷が完了した状態）で、描画部５０での調整動作が実施されるときは、受信バッファ３０には印刷ジョブが残っていないので、表示部４０には、図３（ｂ）に示したような表示情報（「描画部５０による調整動作の実行中、印刷ジョブは残っていない旨」）が表示される。
【００５０】
そのため、ユーザは、図４（ｂ）に示す表示例の表示内容を確認することで、最終の印刷ページの印刷物を確認しなくても、制御部５０によるレンダリング処理や画像処理は終了しており、あとは描画部５０による画像形成処理のみであるということを知ることができる。
【００５１】
ところで、実施の形態１の画像形成装置の構成を有しない画像形成装置では、図５（ａ）に示すように、２ページ目の印刷データについて印刷が完了した状態で、描画部５０での調整動作が実施される場合、図５（ｂ）に示すように、３ページ目の印刷データについて印刷が完了した状態（印刷対象の印刷ジョブの印刷が完了した状態）で、描画部５０での調整動作が実施される場合の何れにおいても、表示部には同じ表示情報（例えば調整動作中）が表示される。そのため、ユーザは、最終の印刷ページの印刷物を確認しない限り、印刷が完了しているかを知ることができない。換言すれば、印刷が完了しているかを知るには、最終の印刷ページの印刷物を確認する必要がある。
【００５２】
なお、実施の形態１では、「印刷ジョブに対する処理は完了」とは、印刷対象の印刷ジョブにかかわる最後のページに対応するビットマップデータ（画像データ）が制御部１０から描画部５０に出力されたときであるとしているが、これに限定されることなく、次のようにしてもよい。
【００５３】
すなわち、画像形成結果としての印刷物（用紙）が画像形成装置外部に設けられる出力用紙収容部（排紙トレイ）に向けて搬送される用紙搬送路の所定の位置に、当該印刷物（用紙）を検出する用紙検出センサを設ける。この用紙検出センサによる検出結果を基に用紙の数（印刷枚数）をカウントするとともに、この印刷枚数が印刷対象の印刷ジョブにかかわる印刷データのページ数に達したときは、「印刷ジョブに対する処理は完了」したとする。
【００５４】
また、実施の形態１では、タンデム方式での転写方式を中間転写方式としたが、感光体から直接用紙に転写する方式（直接転写方式）としてもよい。
【００５５】
さらに、実施の形態１では、画像形成装置は、タンデム方式のカラー画像形成装置であるとしたが、４サイクル方式でカラー画像を形成するカラー画像形成装置や、モノクロの画像を形成する画像形成装置でもよい。
【００５６】
以上説明したように、実施の形態１によれば、印刷ジョブの実行を待機または中断させる所定の調整動作が実施されている場合に、その調整動作が実施される時点での印刷ジョブの状態に応じて当該印刷ジョブの状態にかかわる表示情報が表示部に表示されるので、印刷ジョブの状態に関するユーザの確認のストレスを軽減させることができる。
【００５７】
（実施の形態２）
【００５８】
図６は、実施の形態２に係る画像形成装置の機能構成を示している。
【００５９】
図６の画像形成装置１は、図１に示した実施の形態１の画像形成装置１において、付加情報取得部１５０を追加した構成になっている。図６において、図１に示した構成要素と同様の機能を果たす部分には同一の符号を付している。
【００６０】
付加情報取得部１５０は、上記付加情報取得手段の機能を有し、受信バッファ３０に保存されている印刷ジョブに付加されている付加情報、例えばファイル名、ユーザ名、印刷時間、ＩＰアドレスなどの付加情報を取得する。これらの付加情報は印刷ジョブのヘッダ部に設定されているので、付加情報取得部１４０は、印刷ジョブのヘッダ部を検索して付加情報を抽出することになる。
【００６１】
実施の形態２では、印刷ジョブに付加されている例えばファイル名、ユーザ名、印刷時間、ＩＰアドレスなどの付加情報の全てまたは少なくとも１つの付加情報を抽出するようになっている。
【００６２】
表示制御部１４０は、印刷ジョブ確認部（印刷ジョブ確認手段）１３０による確認の結果が、印刷ジョブに対する処理は未完了である旨のときは、付加情報取得部（付加情報取得手段）１５０によって取得された付加情報を含み、描画部（調整動作実行手段）５０による調整動作の実行が終了した後に印刷ジョブに対する処理を継続する旨の表示情報を表示部（表示手段）４０に表示させる。
【００６３】
次に、調整動作が実行される場合の制御部による印刷ジョブの状態に応じた異なる表示情報の表示処理について、図７を参照して説明する。
【００６４】
なお、図７は、その表示処理の処理手順を示すフローチャートである。
【００６５】
実施の形態２においても、上述した実施の形態１の場合と同様に、制御部１０は、受信バッファ３０に保存されている印刷ジョブの中のＰＤＬデータをページ単位に読み出し、この読み出したページ単位のＰＤＬデータを解釈し、この解釈した結果に基づきレンダリング処理を実施するとともに、このレンダリング処理が施されたビットマップデータに対し色変換処理、階調補正処理、網点生成処理など画像処理を実施する。このようにして印刷対象の印刷ジョブは、ページ単位のＰＤＬデータのすべてについて制御部１０によって実行されることになる。
【００６６】
ところで、制御部１０は、上述したようにして印刷ジョブを実行するときに、描画部５０を監視して所定の調整動作が開始されることを検知したときは、図７に示すように、描画５０に対し、開始可能である旨を通知するまでは当該所定の調整動作の実施を待機するように依頼し、その後、印刷対象の印刷ジョブの処理は完了しているか否かを判断、つまり受信バッファ４０に印刷対象の印刷ジョブが残っているか否か（存在するか否か）を判断する（ステップＳ２０１）。
【００６７】
ここでは、描画部５０は、例えばカラーレジストレーションの調整動作を実施するものとする。
【００６８】
制御部１０は、ステップＳ２０１において、受信バッファ３０に印刷対象の印刷ジョブが残っていると判断した場合（印刷対象の印刷ジョブの処理は未完了であると判断した場合）は、受信バッファ３０に保存されている印刷ジョブから付加情報を取得し（ステップＳ２０２）、その後、「付加情報取得部（付加情報取得手段）１５０によって取得された付加情報を含み、後述する描画部（調整動作実行手段）５０による調整動作の実行が終了した後に印刷ジョブに対する処理を継続する旨」の表示情報を表示部４０に表示させる（ステップＳ２０３）。
【００６９】
ここで、ステップＳ２０３での表示例を図８（ａ）〜８図（ｄ）に示す。つまり、表示部４０には「調整動作後、印刷を継続する旨とジョブ情報」が表示される。
【００７０】
ちなみに、図８（ａ）ではジョブ情報としてファイル名（Ｒｅａｄｍｅ．ｔｘｔ）が表示され、図８（ｂ）ではジョブ情報としてユーザ名（Ｔｅｒａｓａｗａ）が表示され、図８（ｃ）ではジョブ情報として印刷時間（２００８．０２．２８．０９：１０）が表示され、図８（ｄ）ではジョブ情報としてＩＰアドレス（ＩＰ．１１１．２２２．３３３．４４４）が表示されている。
【００７１】
このようにして表示部４０にジョブ情報も表示することで、調整動作後に印刷が継続される印刷ジョブを特定することができる。そのため、例えば図８（ａ）に示す表示例の表示内容が表示部４０に表示された場合、ユーザは、その表示内容を確認することで、最終の印刷ページの印刷物を確認しなくても、ファイル名（Ｒｅａｄｍｅ．ｔｘｔ）の印刷データ（印刷ジョブ）の印刷が継続されること（印刷が完了していないこと）を知ることができる。他の図８（ｂ）〜図８（ｄ）に示す表示例の表示内容を確認した場合も、上記同様に、ジョブ情報で特定される印刷データ（印刷ジョブ）の印刷が継続されること（印刷が完了していないこと）を知ることができる。
【００７２】
さて、再度図７を参照して説明すると、制御部１０は、ステップＳ２０１において、受信バッファ３０に印刷対象の印刷ジョブが残っていないと判断した場合（印刷対象の印刷ジョブの処理は完了であると判断した場合）は、上記図２のステップＳ１０３の処理と同様に、「描画部５０による調整動作の実行中、印刷ジョブは残っていない旨」の表示情報（図３（ｂ）参照）を表示部４０に表示させる（ステップＳ２０３）。
【００７３】
そして、ステップＳ２０３またはステップＳ２０４を終了した制御部１０が描画部５０に対し調整動作は開始可能である旨を通知すると、描画部５０は、その通知を受けて上述した所定の調整動作（この例ではカラーレジストレーションの調整動作）を実行する（ステップＳ２０４）。
【００７４】
なお、実施の形態２では、表示部４０に表示される「調整動作後、印刷を継続する旨とジョブ情報」の表示情報のうちジョブ情報は、印刷ジョブに付加されている付加情報のうち１つの付加情報としているが、これに限定されることなく、印刷ジョブに付加されている付加情報の全てまたは一部（２つ以上）とするようにしてもよい。
【００７５】
以上説明したように、実施の形態２によれば、印刷ジョブの実行を待機または中断させる所定の調整動作が実施されている場合に、その調整動作が実施される時点での印刷ジョブの状態に応じて当該印刷ジョブの状態にかかわる表示情報が表示部に表示され、しかも印刷ジョブの状態が当該印刷ジョブの処理は完了している旨のときは、当該印刷ジョブを特定する付加情報（ジョブ情報）も表示部に表示されるので、ユーザは、調整動作後に印刷される印刷ジョブが、自身が印刷指示した印刷ジョブであるかを確実に確認することができる。そのため、実施の形態２によれば、上記実施の形態１の場合と比較して、印刷ジョブの状態に関するユーザの確認のストレスをさらに軽減させることができる。
【００７６】
次に、上述した実施の形態１および実施の形態２の画像形成装置１のハードウェア構成について図９を参照して説明する。
【００７７】
画像形成装置１は、図９に示すように、画像処理装置１００、操作パネル２００および画像出力装置３００を備えている。
【００７８】
操作パネル２００は、所定の入力情報を入力する機能キーなどの入力部と、所定の表示情報を表示するディスプレイとを有している。操作パネル２００は、上記表示部４０（図１、図６参照）４０の機能を果たすものである。
【００７９】
画像出力装置３００は、上記描画部５０（図１、図６参照）の機能を果たすものであり、画像処理装置１００から与えられる画像データ（ページ単位のビットマップデータ）を基に画像形成を実施し、印刷物を出力する。
【００８０】
画像処理装置１００は、ＣＰＵ１０１、ハードディスクなどの記憶装置１０２、ＲＯＭ１０３、ＲＡＭ１０４および通信インタフェース（通信Ｉ／Ｆ）１０５を有している。
【００８１】
記憶装置１０２は、上述した制御部１０（図１、図６参照）の機能を実現するためのプログラム、上述した処理手順（図２、図７参照）に対応するプログラム、など所定のプログラムを記憶している。
【００８２】
ここで、制御部１０の機能を実現するためのプログラムのうち印刷ジョブ確認部１３０および表示制御部１４０の各機能に対応するプログラムと上述した処理手順に対応するプログラムとを少なくとも有するプログラムを、印刷ジョブ表示処理プログラム１０２Ａと定義する。
【００８３】
なお、印刷ジョブ表示処理プログラム１０２Ａには、少なくとも次の（１）および（２）の処理過程が含まれている。
【００８４】
（１）印刷対象の印刷ジョブの実行の待機または中断させる所定の調整動作が実行されるときに、前記印刷ジョブの状態を確認する印刷ジョブ確認処理過程。
【００８５】
（２）上記印刷ジョブ確認処理過程により確認された結果である上記印刷ジョブの状態に応じて、上記所定の調整動作の実行中に上記印刷ジョブの状態にかかわる異なる表示情報を表示手段に表示させる表示制御処理過程。
【００８６】
ＲＯＭ１０３は、読み出し専用メモリであり、印刷ジョブ実行部１１０（ＣＰＵ１０１）が画像処理を実施するのに必要なパラメータ（色変換パラメータ、階調補正パラメータなど）やデータを記憶している。
【００８７】
ＲＡＭ１０４は、随時書き込み読み出しメモリであり、記憶装置１０２から読み込まれた印刷ジョブ表示処理プログラム１０２Ａなど所定のプログラムを記憶するとともに、ＲＯＭ１０３から読み込まれたパラメータやデータを記憶する。
【００８８】
また、ＲＡＭ１０４には、上述した受信バッファ３０の機能を果たし受信されたデータを保存するバッファ領域が割り当てられている。
【００８９】
通信インタフェース１０５は、上述した通信部２０（図１、図６参照）の機能を果たすものであり、例えばコンピュータ２から送信された印刷ジョブ（ＰＤＬデータと付加情報とを含むデータ）を受信する。この受信された印刷ジョブはＲＡＭ１０４のバッファ領域に保存される。
【００９０】
また、通信インタフェース１０５は、コンピュータ２とローカル接続される場合には通信ケーブル対応のインタフェースであり、コンピュータ２とリモート接続される場合はネットワークなど通信回線対応のインタフェースである。
【００９１】
ＣＰＵ１０１は、中央演算処理装置であり、記憶装置１０２からＲＡＭ１０４へ上記所定のプログラムを読み込んで実行することにより、制御部１０の機能を実現する。
【００９２】
また、ＣＰＵ１０１は、ＲＡＭ１０４に読み込んだ所定のプログラムのうち印刷ジョブ表示処理プログラム１０２Ａを実行することにより、調整動作が実行される場合の印刷ジョブの状態に応じた異なる表示情報（図３、図８参照）を操作パネル２００（のディスプレイ）に表示させる。
【００９３】
さらに、ＣＰＵ１０１は、制御部１０の機能を実行することにより得られるページ単位のビットマップデータ（画像データ）を画像出力装置３００へ出力する。
【００９４】
本願明細書において、印刷ジョブ状態表示処理プログラム１０２Ａを含む上記所定のプログラムを記録媒体としてのハードディスク等の記憶装置に記録する実施形態として説明したが、当該所定のプログラムを次のようにして提供することも可能である。
【００９５】
すなわち、上記所定のプログラムをＲＯＭに格納しておき、ＣＰＵが、この所定のプログラムをこのＲＯＭから主記憶装置へローディングして実行するようにしてもよい。
【００９６】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された所定のプログラムを画像形成装置がインストールした後、この所定のプログラムをＣＰＵが実行するようにする。この所定のプログラムのインストール先としては、ＲＡＭ等のメモリやハードディスクなどの記憶装置がある。そして、画像形成装置は、必要に応じてこの記憶装置に記憶した所定のプログラムを主記憶装置にローディングして実行する。
【００９７】
さらには、画像形成装置を通信回線（例えばインターネット）を介してサーバ装置あるいはホストコンピュータ等のコンピュータと接続するようにし、当該画像形成装置が、サーバ装置あるいはコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）がある。そして、当該画像形成装置が、必要に応じてこの記憶装置に記憶された上記所定のプログラムを主記憶装置にローディングして実行するようにする。
【産業上の利用可能性】
【００９８】
本発明は、モノクロ画像あるいはカラー画像の少なくとも一方の画像を画像形成出力する画像形成装置に適用することができる。
【図面の簡単な説明】
【００９９】
【図１】実施の形態１に係る画像形成装置の機能構成を示すブロック図である。
【図２】実施の形態１に係る印刷ジョブの状態に応じた異なる表示情報の表示処理の処理手順を示すフローチャートである。
【図３】実施の形態１に係る印刷ジョブの状態に応じた異なる表示情報の一例を示す図である。
【図４】実施の形態１に係る調整動作が実行されるタイミングに応じて表示部に表示される印刷ジョブの状態に応じた異なる表示情報の表示例を示す図である。
【図５】実施の形態１に係る画像形成装置の構成を有しない画像形成装置において調整動作が実行される場合の表示部に表示される表示情報の一例を示す図である。
【図６】実施の形態２に係る画像形成装置の機能構成を示すブロック図である。
【図７】実施の形態２に係る印刷ジョブの状態に応じた異なる表示情報の表示処理の処理手順を示すフローチャートである。
【図８】実施の形態２に係る印刷ジョブの状態に応じた異なる表示情報の一例を示す図である。
【図９】実施の形態１および実施の形態２に係る画像形成装置のハードウェア構成を示す構成図である。
【符号の説明】
【０１００】
１  画像形成装置
１０  制御部
２０  通信部
３０  受信バッファ
４０  表示部
５０  描画部
５１  画像形成制御部
５２  画像形成部
１００  画像処理装置
１０１  ＣＰＵ
１０２  記憶装置
１０２Ａ  印刷ジョブ状態表示処理プログラム
１０３  ＲＯＭ
１０４  ＲＡＭ
１０５  通信インタフェース
１１０  印刷ジョブ実行部
１２０  調整動作検知部
１３０  印刷ジョブ確認部
１４０  表示制御部
１５０  付加情報取得部
２００  操作パネル
３００  画像出力装置
【図１】
2009214435.tif 000003
【図２】
2009214435.tif 000004
【図３】
2009214435.tif 000005
【図４】
2009214435.tif 000006
【図５】
2009214435.tif 000007
【図６】
2009214435.tif 000008
【図７】
2009214435.tif 000009
【図８】
2009214435.tif 000010
【図９】
2009214435.tif 000011